【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
クロック信号の変調により発生され且つ通信バスから入力されたバス信号の、高レベルから低レベルへの立ち下りを検出するように構成されたタイミング決定器と、
前記バス信号が第１のタイミングで前記低レベルから前記高レベルに立ち上るこの第１のタイミングからの所定の時間差を有する第２のタイミングを決定するように構成された送信データ信号遅延調整器と、
前記通信バスに出力すべきデータ信号を前記高レベルから前記低レベルに変化させることにより前記バス信号の低レベルを延長させるように構成されたエンコーダと、
前記データ信号を前記第２のタイミングで前記低レベルに変化させるように構成したタイミング調整回路と
を備える通信用送受信機。
【請求項２】
請求項１に記載の通信用送受信機において、前記送信データ信号遅延調整器が前記所定の時間差を、高調波レベルが減少して自然数である周波数に基づいて計算する、通信用送受信機。
【請求項３】
請求項１に記載の通信用送受信機において、この通信用送受信機が更に、
前記バス信号の前記低レベルからの立ち上りの開始点を検出するように構成されたクロック立ち上り開始点検出器と、
このクロック立ち上り開始点検出器により検出された前記バス信号のタイミングに基づいて前記第１のタイミングを決定するように構成されたクロック立ち上り開始点決定器と
を備えている通信用送受信機。
【請求項４】
請求項１に記載の通信用送受信機において、この通信用送受信機が更に、
前記バス信号の信号レベルを第１の基準電圧と比較するように構成された第１の比較器と、
前記信号レベルを前記第１の基準電圧とは異なる第２の基準電圧と比較するように構成された第２の比較器と、
前記第１の比較器及び前記第２の比較器からの比較結果に基づいて前記バス信号の前記低レベルからの立ち上りの開始点のタイミングを決定するように構成されたクロック立ち上り開始点決定器と
を備えている通信用送受信機。
【請求項５】
請求項１に記載の通信用送受信機において、前記送信データ信号遅延調整器が前記バス信号の前記立ち下り後の前記第２のタイミングを決定するようにした通信用送受信機。
【請求項６】
請求項５に記載の通信用送受信機において、この通信用送受信機が更に、
前記バス信号の信号レベルを第１の基準電圧と比較するように構成された第１の比較器と、
前記信号レベルを前記第１の基準電圧とは異なる第２の基準電圧と比較するように構成された第２の比較器と、
前記第１の比較器及び前記第２の比較器からの比較結果に基づいて前記バス信号の前記立ち下りのタイミングを決定するように構成されたクロック立ち下り終了点決定器と
を備えている通信用送受信機。
【請求項７】
請求項１に記載の通信用送受信機において、前記送信データ信号遅延調整器が、前記第２のタイミングを前記バス信号の前記低レベルからの立ち上りの開始点のタイミングよりも早くなるように決定するようにした通信用送受信機。
【請求項８】
請求項１に記載の通信用送受信機において、前記送信データ信号遅延調整器が、前記データ信号の前記低レベルから前記高レベルへの立ち上りの開始点のタイミングを前記バス信号の前記立ち下りのタイミングよりも所定の時間長後となるように決定するようにした通信用送受信機。
【請求項９】
請求項１に記載の通信用送受信機において、この通信用送受信機がクロック・エクステンション・ペリフェラル・インタフェース（ＣＸＰＩ）通信で用いられているノードに含まれているようにした通信用送受信機。
【請求項１０】
請求項９に記載の通信用送受信機において、この通信用送受信機が前記通信バスを介してマスターノード送受信機と通信するスレーブノード送受信機として機能するようになっている通信用送受信機。
【請求項１１】
通信バスを介して通信する通信用送受信機による通信制御方法において、この通信制御方法が、
クロック信号の変調により発生され且つ前記通信バスから入力されたバス信号の、高レベルから低レベルへの立ち下りを検出するステップと、
前記バス信号が第１のタイミングで前記低レベルから前記高レベルに立ち上るこの第１のタイミングからの所定の時間差を有する第２のタイミングを決定するステップと、
前記通信バスに出力すべきデータ信号を高レベルから低レベルに変化させることにより前記バス信号の低レベルを延長させるステップと、
前記データ信号を前記第２のタイミングで前記低レベルに変化させるステップと
を備える通信制御方法。
【請求項１２】
請求項１１に記載の通信制御方法において、前記所定の時間差を、高調波レベルが減少して自然数である周波数に基づいて計算する、通信制御方法。
【請求項１３】
請求項１１に記載の通信制御方法において、この通信制御方法が更に、
クロック立ち上り開始点検出器により前記バス信号の前記低レベルからの立ち上りの開始点を検出するステップと、
前記クロック立ち上り開始点検出器により検出された前記バス信号のタイミングに基づいて前記第１のタイミングを決定するステップと
を備えている通信制御方法。
【請求項１４】
請求項１１に記載の通信制御方法において、
前記通信用送受信機が第１の比較器及び第２の比較器を有するようにし、
前記通信制御方法が更に、
前記第１の比較器により前記バス信号の信号レベルを第１の基準電圧と比較するステップと、
前記第２の比較器により前記信号レベルを前記第１の基準電圧とは異なる第２の基準電圧と比較するステップと、
前記第１の比較器及び前記第２の比較器からの比較結果に基づいて前記バス信号の前記低レベルからの立ち上りの開始点のタイミングを決定するステップと
を備えている通信制御方法。
【請求項１５】
請求項１１に記載の通信制御方法において、この通信制御方法が更に、前記第２のタイミングを前記バス信号の前記立ち下り後となるように決定するステップを備えている通信制御方法。
【請求項１６】
請求項１５に記載の通信制御方法において、
前記通信用送受信機が第１の比較器及び第２の比較器を有するようにし、
前記通信制御方法が更に、
前記第１の比較器により前記バス信号の信号レベルを第１の基準電圧と比較するステップと、
前記第２の比較器により前記信号レベルを前記第１の基準電圧とは異なる第２の基準電圧と比較するステップと、
前記第１の比較器及び前記第２の比較器からの比較結果に基づいて前記バス信号の前記立ち下りのタイミングを決定するステップと
を備えている通信制御方法。
【請求項１７】
請求項１１に記載の通信制御方法において、この通信制御方法が更に、前記第２のタイミングを前記バス信号の前記低レベルからの立ち上りの開始点のタイミングよりも早くなるように決定するステップを備えている通信制御方法。
【請求項１８】
請求項１１に記載の通信制御方法において、この通信制御方法が更に、前記データ信号の前記低レベルから前記高レベルへの立ち上りの開始点のタイミングを前記バス信号の前記立ち下りのタイミングよりも所定の時間長後となるように決定するステップを備えている通信制御方法。
【請求項１９】
請求項１１に記載の通信制御方法において、前記通信用送受信機がクロック・エクステンション・ペリフェラル・インタフェース（ＣＸＰＩ）通信で用いられているノードに含まれているようにする通信制御方法。
【請求項２０】
請求項１９に記載の通信制御方法において、前記通信用送受信機が前記通信バスを介してマスターノード送受信機と通信するスレーブノード送受信機として機能するようにする通信制御方法。